(57)【要約】【課題】従来からある省電力のための行動計画等の指針にするための省電力シートにより直接把握可能な情報は、あくまでデマンド値の高低にとどまる。電気料金は通常基本料金に加え、従量的な料金とから構成されており、従来技術は、この従量的な料金をも踏まえた効率的な省電力プランを立てるのに適しているとはいえなかった。【解決手段】期間中において検出されるデマンド値のうち最大値及び最大値に近い値と、各値が検出された日時を対にして表示する第一表と、第一表に表示された最大値よりも小さな候補値と、候補値を超過するデマンド値の検出回数とを対にして表示する第二表と、第二表に表示された候補値を一方の軸とし、目標とする電力量を他方の軸としたマトリックス中に将来の電力料金試算額や当該試算額と実際の電力料金額との差分を表示する第三表と、を含む省電力シートなどを提案する。【選択図】図１
2014176277.tif 000002
【特許請求の範囲】
【請求項１】
過去の電力基本料金算定期間中において検出される複数のデマンド値のうち、最も大きな値及び前記最も大きな値に近い値と、その各値が検出された日時の全部又は一部とを対にして、デマンド値の大きさの昇順又は降順に並べて表示する第一表と、
前記第一表に表示された最も大きいデマンド値よりも小さな値のデマンド値である目標デマンド値候補値と、前記目標デマンド値候補値を超過する電力基本料金期間算定期間中のデマンド値の検出回数とを対にして、目標デマンド値候補値の大きさの昇順又は降順に並べて表示する第二表と、
前記第二表に表示された目標デマンド値候補値を一方の軸とし、将来の電力基本料金算定期間中において目標とする消費電力量を他方の軸としたマトリックス中に将来の電力基本料金算定期間中において試算される電力料金試算値又は／及び当該試算値と前回電力基本料金算定期間中の電力料金実績値との差分を表示する第三表と、
を含む省電力シート。
【請求項２】
電力基本料金算定期間中のデマンド値とその検出日時のデータであるデマンド値データを取得するデマンド値データ取得部と、
前記電力基本料金算定期間中の消費電力量のデータである消費電力量データを取得する消費電力量データ取得部と、
前記電力基本料金算定期間中において検出される複数のデマンド値のうち、最も大きな値及び前記最も大きな値に近い値と、その各値が検出された日時の全部又は一部とを対にして、デマンド値の大きさの昇順又は降順に並べて表示する第一表をシートデータに出力する第一表出力部と、
前記第一表に表示された最も大きいデマンド値よりも小さな値のデマンド値である目標デマンド値候補値と、前記目標デマンド値候補値を超過する電力基本料金期間算定期間中のデマンド値の検出回数とを対にして、目標デマンド値候補値の大きさの昇順又は降順に並べて表示する第二表を前記シートデータに出力する第二表出力部と、
前記第二表に表示された目標デマンド値候補値を一方の軸とし、前記取得される消費電力量以下の値であって将来の電力基本料金算定期間中において目標とする消費電力量である目標消費電力量を他方の軸としたマトリックス中に将来の電力基本料金算定期間中において試算される電力料金試算値又は／及び当該試算値と前回電力基本料金算定期間中の電力料金実績値との差分を表示する第三表を前記シートデータに出力する第三表出力部と、
からなる省電力シート出力装置。
【発明の詳細な説明】
【技術分野】
【０００１】
本発明は、電力の使用状況を把握することが可能な省電力シートや、その省電力シートを出力することが可能な省電力シート出力装置などに関する。
【背景技術】
【０００２】
従来より、電力の使用量や使用に伴う電力料金の把握は、定期的に電気事業者等から送られてくる電力料金の請求書の記載内容を見ることや、同事業者が提供しているウェブ上の電力料金算定シミュレーションサービス等により行われているのが一般的である。電力料金の請求書は、例えば、過去所定期間（一例として、過去検針日から翌月検針日前日までの１か月間）における時間帯ごとの消費電力量や同期間中の総消費電力量、消費電力量に対応する請求額の情報等が表示されている。また、ウェブ上の電力料金算定シミュレーションサービスにおいては、契約形態や消費電力量を入力することにより、請求されるべき電力料金の情報等が表示される。電力利用者は、当該各情報に基づいて自身がどの程度電力を使用したのかや電力料金の内訳を大まかに把握している。
【０００３】
また、前記各情報を利用して、消費電力量や電気料金などを削減するための対策プラン（省電力プラン）を立て、各省電力プランを理解しやすくする表を作成することも一般に行われている。例えば、特許文献１に示されているように、過去所定期間内において検出されたデマンド値のうち比較的大きい値および当該各デマンド値を検出した日時を並べた表や、当該表に基づき将来目標とすべきデマンド値候補値を複数並べた表を一覧形式に提示可能とする省電力シートなどが知られている。
【先行技術文献】
【特許文献】
【０００４】
【特許文献１】特許第４９７７７４５号
【発明の概要】
【発明が解決しようとする課題】
【０００５】
しかしながら、特許文献１に記載の省電力シートにより直接把握可能な情報は、あくまでデマンド値の高低にとどまる。確かに、電気料金全体のうち基本料金の算定に大きく影響を及ぼすデマンド値の情報を整理して提示することは有用である。しかしながら、電気料金は通常、基本料金に所定期間中に消費した電力量（消費電力量）に応じた料金が加わって構成されていることからすれば、かかる従来技術では、デマンド値に応じた基本料金に関する情報を分かりやすく一元管理することはできるものの、真に効率的な省電力プランを立てるのに特に適しているとはいえなかった。
【０００６】
以上の課題を解決するために、本発明は、過去の電力基本料金算定期間中において検出される複数のデマンド値のうち、最も大きな値及び前記最も大きな値に近い値と、その各値が検出された日時の全部又は一部とを対にして、デマンド値の大きさの昇順又は降順に並べて表示する第一表と、前記第一表に表示された最も大きいデマンド値よりも小さな値のデマンド値である目標デマンド値候補値と、前記目標デマンド値候補値を超過する電力基本料金算定期間中のデマンド値の検出回数とを対にして、目標デマンド値候補値の大きさの昇順又は降順に並べて表示する第二表と、前記第二表に表示された目標デマンド値候補値を一方の軸とし、将来の電力基本料金算定期間中において目標とする消費電力量を他方の軸としたマトリックス中に将来の電力基本料金算定期間中において試算される電力料金試算値又は／及び当該試算値と前回電力基本料金算定期間中の電力料金実績値との差分を表示する第三表と、を含む省電力シートを提案する。
【０００７】
また、電力基本料金算定期間中のデマンド値とその検出日時のデータであるデマンド値データを取得するデマンド値データ取得部と、前記電力基本料金算定期間中の消費電力量のデータである消費電力量データを取得する消費電力量データ取得部と、前記電力基本料金算定期間中において検出される複数のデマンド値のうち、最も大きな値及び前記最も大きな値に近い値と、その各値が検出された日時の全部又は一部とを対にして、デマンド値の大きさの昇順又は降順に並べて表示する第一表をシートデータに出力する第一表出力部と、前記第一表に表示された最も大きいデマンド値よりも小さな値のデマンド値である目標デマンド値候補値と、前記目標デマンド値候補値を超過する電力基本料金期間算定期間中のデマンド値の検出回数とを対にして、目標デマンド値候補値の大きさの昇順又は降順に並べて表示する第二表を前記シートデータに出力する第二表出力部と、前記第二表に表示された目標デマンド値候補値を一方の軸とし、前記取得される消費電力量よりも小さな値であって将来の電力基本料金算定期間中において目標とする消費電力量である目標消費電力量を他方の軸としたマトリックス中に将来の電力基本料金算定期間中において試算される電力料金試算値又は／及び当該試算値と前回電力基本料金算定期間中の電力料金実績値との差分を表示する第三表を前記シートデータに出力する第三表出力部と、からなる省電力シート出力装置を提案する。
【発明の効果】
【０００８】
以上のような構成をとる本発明によって、過去の電力使用状況の情報のうち基本料金のみならず消費電力量料金をも考慮し、電気料金全体を踏まえた適当な省電力プランを策定することが可能になる。
【図面の簡単な説明】
【０００９】
【図１】実施形態１の省電力シートの一例を示す図
【図２】実施形態１の省電力シート出力装置の機能ブロックの一例を示す図
【図３】実施形態１の省電力シートの第一表の他の例を示す図
【図４】実施形態１の省電力シートの第二表の他の例を示す図
【図５】実施形態１の省電力シートの第三表の他の一例を示す図
【図６】実施形態１の省電力シートの第三表のさらに他の一例を示す図
【図７】実施形態１の省電力シート出力装置のハードウェア構成図の一例を示す図
【図８】実施形態１の省電力シート出力方法の処理の流れの一例を示す図
【図９】実施形態１の省電力シートの第三表のさらに他の一例を示す図
【発明を実施するための形態】
【００１０】
以下に、本発明の実施形態を説明する。なお、本発明は下記実施形態の態様に何ら限定されるものではなく、その要旨を逸脱しない範囲内において、様々な態様で実施しうる。
<<実施形態１>>
<概要>
【００１１】
図１に示すように、本実施形態の省電力シート出力装置が出力する「省電力シート」０１００は、過去の電力基本料金算定期間中において検出されるデマンド値のうち最も大きい値とそれに近い値と、その各値が検出された日時の全部又は一部とを対にして、デマンド値の大きさの昇順または降順に並べて表示する「第一表」０１１０と、「第一表」０１１０に表示された最も大きいデマンド値よりも小さな値のデマンド値である目標デマンド値候補値と、その目標デマンド値候補値を超過する第一表記載の電力基本料金算定期間中のデマンド値の検出回数とを対にして、目標デマンド値の大きさの昇順または降順にならべて表示する「第二表」０１２０とを含む。そしてさらには、「第二表」０１２０に表示された目標デマンド値候補値を一方の軸とし、将来の電力基本料金算定期間中において目標とする消費電力量を他方の軸としたマトリックス中に将来の電力基本料金算定期間中において試算される電力料金試算値又は／及び当該試算値と前回電力基本料金算定期間中の電力料金実績値との差分を表示する「第三表」０１３０を含むものである。当該構成とすることにより、電力基本料金抑制の観点からは目標とすべき妥当なデマンド値を、従量的に生じる電力量料金抑制の観点からは目標とすべき消費電力量を、それぞれ利用者のニーズに従って柔軟に選択し、当該選択に応じて具体的な省電力プランを構築することが容易になる。
【００１２】
なおここで、本実施形態の省電力シート出力装置による省電力シートの出力方法としては、プリンタを用いて印刷出力する方法のほか、ディスプレイへ表示出力する方法、その他出力インターフェースを通じて外部機器に出力する方法であればその種別を問わない。いっぽう、省電力シートそのものについて、その形態は必ずしも省電力シート出力装置からの出力に限られるものではない。
<機能的構成>
【００１３】
図２は、本実施形態の省電力シート出力装置の機能ブロックの一例を示す図である。この図にあるように、本実施形態の「省電力シート出力装置」０２００は、「デマンド値データ取得部」０２０１と、「消費電力量データ取得部」０２０２と、「第一表出力部」０２０３と、「第二表出力部」０２０４と、「第三表出力部」０２０５と、を備える。
【００１４】
なお、以下に記載する装置の機能ブロックは、いずれもハードウェア、ソフトウェア、又はハードウェア及びソフトウェアの両方として実現され得る。コンピュータを利用するものであれば、具体的な構成としては、ＣＰＵやメインメモリ、ＧＰＵ、画像メモリ、グラフィックボード、バス、あるいは二次記憶装置（ハードディスクや不揮発性メモリ、ＣＤやＤＶＤ、ＳＤカードなどの記憶メディアとそれらのメディアの読取ドライブなど）、カメラ、センサ、情報入力に利用される入力デバイス、プリンタ、その他の外部周辺装置などのハードウェア構成部、およびその外部周辺装置用のインターフェース、通信用インターフェース、それらハードウェアを制御するためのドライバプログラムやその他アプリケーションプログラムなどが挙げられる。そして、メインメモリ上に展開したプログラムに従ったＣＰＵの演算処理によって、入力デバイスやその他インターフェースなどから入力されメモリやハードウェア上に保持されているデータなどが加工、蓄積されたり、前記各ハードウェアやソフトウェアを制御するための命令が生成されたりする。ここで、上記プログラムは、モジュール化された複数のプログラムとして実現されてもよいし、２以上のプログラムを組み合わせて一のプログラムとして実現されても良い。
【００１５】
また、本発明は装置として実現できるのみならず、方法としても実現可能である。そして、このような装置の一部をソフトウェアとして構成することも可能である。さらに、そのようなソフトウェアが記録された記録媒体も当然に本発明の技術的な範囲に含まれる（本明細書の全体を通じて同様である）。
【００１６】
「デマンド値データ取得部」は、電力基本料金算定期間中のデマンド値とその検出日時のデータであるデマンド値データを取得する機能を有する。ここで、電力基本料金算定期間とは、電力の基本料金を算定する際に参照される期間のことをいう。また、デマンド値とは、所定時間（例えば３０分）の消費電力量の平均値を取った値であり、電力基本料金を算定する際に一般的に用いられている値である。電力基本料金は、過去所定期間（例えば、過去一年間）におけるピークデマンド値に基づいて行われることが多く、今後の一定期間において当該ピークデマンド値を所定値以下に抑えることで電力基本料金を減らすことが可能になる。
【００１７】
デマンド値データは、有線又は無線の通信回線を通じて取得する構成が考えられる。取得先としては、例えば、電力メータや電力会社が保持するサーバなどが考えられる。なおここで、本実施形態の省電力シート出力装置は、一の電力使用者のみならず、複数の電力使用者を対象とした省電力シートを出力するような構成をとることも可能である。この場合、デマンド値データは複数の電力使用者から取得して、各電力使用者のＩＤと関連づけて記憶装置において保持しておくことが考えられる。また、デマンド値データはフラッシュメモリ等の記録媒体を介して取得することも可能であり、種々の態様が考えられる。  
【００１８】
ここで、デマンド値データは、所定のタイミングで取得される構成が考えられる。所定のタイミングとは、例えば日本のデマンド時限である３０分ごととすることが考えられ、前記電力基本料金算定期間を１年間とした場合には、前記記憶装置にて１日４８コマ分、さらには年間３６５日分のデマンド値データが保持されることとなる。当該構成をとることにより、最大デマンドを基準として特定される次回の電力基本料金算定期間中における電力基本料金を把握することが可能になる。
【００１９】
図１の例では、２０１２年０９月１６日以降の電力料金について対策を立てるものとして、デマンド値データの取得する電力基本料金算定期間を「２０１１年０９月１６日〜２０１２年０９月１５日」としているが、それ以降のデータについても適宜取得して省電力シートのシートデータを更新することも可能である。
【００２０】
「消費電力量データ取得部」は、前記電力基本料金算定期間中の消費電力量のデータである消費電力量データを取得する機能を有している。取得先としては、例えば、電力メータや電力会社が保持するサーバなどが考えられる。取得された消費電力量のデータは、電力メータあるいは省電力シート出力装置の記憶装置にてデータベース化のうえ保持され、後に詳しく説明する目標消費電力量の算出・決定のためなどに用いる。「消費電力量データを取得する」態様としてはまず、電力基本料金算定期間を通じて消費された消費電力量の総量のデータを取得することが考えられる。図１の例では、後に詳しく説明する「第三表」０１３０にて目標消費電力量が表示されているが、目標消費電力量は、通常は前回算定期間中の消費電力量の総量の実測値以下であることが望ましいことから、前記前回算定期間中の消費電力量の総量は、当該目標消費電力量よりも大きい値（例えば、３５０，０００ｋＷｈ）であることが考えられる。
【００２１】
ここで、消費電力量データ取得部においては、所定のタイミングで消費電力量のデータを取得する構成が考えられる。ここでいう所定のタイミングとは、例えばデマンド時限である３０分ごととすることが考えられ、前記電力基本料金算定期間を１年間とした場合には、前記記憶装置にて１日４８コマ分、さらには年間３６５日分の消費電力量データが保持されることとなる。当該構成をとることに伴い、前記デマンド値データと消費電力量データとを同一のタイミングで取得することとなるため、電力基本料金と従量料金とを相互にずれのなく同時に算出することが可能になる。
【００２２】
なお、消費電力量データの取得方法としては他にも、前記電力基本料金算定期間よりも短い所定の単位期間ごとの消費電力量のデータを取得する方法も考えられる。（当該構成をとる場合に作成される第三表については、後で詳しく述べる。）。当該構成をとることにより、繁閑期や特別なイベントの開催等時期によって異なる消費電力量の多寡をきめ細やかに把握し、当該時期ごとの省電力プランを組み立てることが容易になる。
【００２３】
また、消費電力量データは、前記デマンド値データと同様、有線又は無線の通信回線を通じて取得する構成が考えられる。ここで例えば、電力量データの取得という性質上にかんがみて、電力線を通信回線として用いる電力線搬送通信（ＰＬＣ）の方式を採用することにより、当該通信のために新たな通信設備を設ける必要がなく効率的なデータの取得が可能になる。
【００２４】
「第一表出力部」は、前記電力基本料金算定期間中の最大のデマンド値及び同期間中の前記最大のデマンド値に近い値として検出された複数のデマンド値と、その各検出日時の全部又は一部とを対にして、デマンド値の大きさの昇順または降順に並べて表示する第一表をシートデータに出力する機能を有する。
【００２５】
ここで、前記最大のデマンド値に近い値として検出された複数のデマンド値とは、最大のデマンド値に次いで大きな値を取るデマンド値などのことをいう。例えば、最大のデマンド値を含めて電力基本料金算定期間中の上位数件のデマンド値を表示することが考えられる。なお、最大のデマンド値に近いとは、表示されない他のデマンド値と比較して相対的に近い場合を想定することも可能であるし、絶対的な値として近い場合を想定することも可能である。例えば、上位数件に入っているデマンド値であっても最大のデマンド値に対して絶対的に近いとはいえない場合は表示しないといった構成も可能である。
【００２６】
図１の例では、最大のデマンド値は「２０９（ｋＷ）」であり、その検出日時は「２０１２年１月１８日（水）１０時００分」となっている。また、最大のデマンド値に近い値として検出された複数のデマンド値として、「２０６、２０４、２０３、２０１（ｋＷ）」の４つが挙げられている。
【００２７】
また、図１の「第一表」０１１０の例では各デマンド値に関して最大５回までの検出日時を表示している。このように検出日時が第一表に全て表示できない場合は、最新のものから所定数の検出日時のみ表示する構成も可能であるし、その他任意の方法により選択された日時のみを表示する構成が可能である。なお、ディスプレイ等の表示装置にシートデータを出力する態様を想定している場合は、表示装置にスクロールバーを設けて全ての検出日時を表示可能な構成とすることも可能である。
【００２８】
また、図１の「第一表」０１１０の例では、デマンド値の大きさの降順「２０９、２０６、２０４、２０３、２０１（ｋＷ）」に並べて表示する構成を示しているが、デマンド値の大きさの昇順「２０１、２０３、２０４、２０６、２０９（ｋＷ）」に並べて表示する構成も同様に可能である。
【００２９】
また、図３に示す「第一表」０３１０のように、図１における「第一表」０１１０の構成に対して検出回数のデータを追加表示する構成も可能である。この図のような構成をとることにより、所定のデマンド値（例えば、２０３（ｋＷ））の検出日時が所定回数（例えば、５回）を超えていたことが一見して明らかになる。なお、検出日時が所定回数を超えたデマンド値に対しては、当該デマンド値の表示態様（文字色、下線有無など）を変化させたり、特定のマークや文字を追加的に表示したりして、他のデマンド値と区別可能な構成とすることも可能である。
【００３０】
なお、第一表の詳細な構成方法は図１、図３の例に特に限定されるものではなく、種々の態様が可能である。例えば、表を構成する各要素の配置や、各要素の単位（日時、ｋＷなど）、各要素の数（デマンド値や検出日時の表示数など）、各要素のサイズ・色など複数の選択の余地がある。これらを種々変形したものに関しても本実施形態の第一表の構成を満たすものである（以下で説明する第二表および第三表についても同様である）。
【００３１】
また、第一表において、過去（例えば、一年前など）に立てた目標デマンド値を特定可能なように表示する構成も可能である。例えば、当該過去の目標デマンド値に該当するデマンド値に対して下線を引いたり、色を変えたり、マークを付加するなど、他の目標デマンド値と区別する構成が考えられる。また、当該過去の目標デマンド値を超過したデマンド値や、下回ったデマンド値、及びそれらの検出日時などについても表示態様を区別する構成が考えられる。例えば、目標デマンド値を超過したデマンド値及びその検出日時については赤色、目標デマンド値及びその検出日時については黄色、目標デマンド値を下回ったデマンド値及びその検出日時については青色で表示するといった態様も可能である。
【００３２】
「第二表出力部」は、前記第一表に表示された最大のデマンド値よりも小さな値のデマンド値である目標デマンド値の候補と、その候補となる目標デマンド値を超過する電力基本料金算定期間中のデマンド値の検出回数とを対にして、目標デマンド値の大きさの昇順または降順に並べて表示する第二表を前記シートデータに出力する機能を有する。
【００３３】
ここでは、目標デマンド値を超過する電力基本料金算定期間中のデマンド値の検出回数を対にしているが、目標デマンド値以上の値となるデマンド値の検出回数を対にする構成も可能である。また、目標デマンド値の候補は、第一表に表示されているデマンド値に限定されるものではなく、それらの値よりも小さな値となるデマンド値を目標デマンド値の候補として表示する構成も可能である。
【００３４】
図１の例では、最大のデマンド値が「２０９（ｋＷ）」であり、それよりも小さな値のデマンド値である目標デマンド値として「２０６、２０４、２０３、２０１、１９７（ｋＷ）」の５つを挙げている。例えば、「２０９（ｋＷ）」のデマンド値は電力基本料金算定期間中において１回検出されており、目標デマンド値を「２０６（ｋＷ）」に設定した場合、今後の対応期間において改善策を取らないと目標デマンド値を超過するデマンド値が１回程度検出されることが予想される。また、「２０６（ｋＷ）」のデマンド値は電力料金算定期間中において４回検出されており、目標デマンド値を「２０４（ｋＷ）」に設定した場合、今後の対応期間において改善策を取らないと目標デマンド値を超過するデマンド値は５回程度検出されることが予想される。なおここで、目標デマンド値候補値はユーザが任意の値を入力する方法のほか、検出された複数のデマンド値のうち最大の値あるいはその次に大きい値に対し所定割合を乗じた値とする方法をとってもよい。
【００３５】
また、デマンド値の検出回数は、図１の「第二表」０１２０のように「〜回以内」といった幅のある表示態様が考えられるが、図４の「第二表」０４２０のように「〜回」といった表示態様も同様に可能であり、特に表現が限定されるものではない。図４においては、目標デマンド値として「２０６、２０４、２０３、２０１、１９７（ｋＷ）」の５つの候補を挙げており、各候補を超過する電力基本料金算定期間中のデマンド値の検出回数は「１、５、１０、１６、１９（回）」となっている。当該情報を見ることにより、ある目標デマンド値に設定した場合に、今後の対応期間においてどれくらいの頻度でデマンド値が目標デマンド値を超過しそうになるかをおおよそ把握することができる。
【００３６】
さらに、第一表の情報から、デマンド値が高くなるタイミングの特性（季節・曜日・時間帯など）を分析することが可能であり、当該特性を踏まえた上で省電力対策を講じることが可能になる。
【００３７】
つまり、第一表に示された電力基本料金算定期間中の過去のデマンド値の具体的な検出日時の情報と、第二表に示された目標デマンド値の設定目安の情報とを相互にリンクさせることにより、省電力対策に関して相乗的な効果が生まれることになる。
【００３８】
「第三表出力部」は、前記第二表に表示された目標デマンド値を一方の軸とし、前記消費電力量取得部にて取得される消費電力量以下の値であって将来の電力基本料金算定期間中において目標とする消費電力量である目標消費電力量を他方の軸としたマトリックス中に将来の電力基本料金算定期間中において試算される電力料金試算値又は／及び当該試算値と前回電力基本料金算定期間中の電力料金実績値との差分を表示する第三表を前記シートデータに出力する機能を有する。一方の軸がデマンド値抑制の効果、すなわち基本料金削減の効果を見やすくする構成要素となり、他方の軸が消費電力量抑制の効果、すなわち従量的に課される電力量料金削減の効果を見やすくする構成要素となることとなるが、電力量に関する上記二つの情報を用いてマトリックスを構成することにより、構築できる省電力プランの内容を格段に拡張することが可能になる。
【００３９】
「目標消費電力量」とは、消費電力量取得部にて検出される消費電力量以下の値である。後で例をあげて詳しく説明するように、消費電力量を削減せず（すなわち、消費電力量が従前と変わらない）ともデマンド値を抑制することができれば電力基本料金算定期間中の電気料金は削減可能であるため、目標消費電力量は、前記検出される消費電力量「より小さい値」であることは省電力プランの構築に必須の条件ではない。
【００４０】
なお、消費電力量データ取得部にて消費電力量のデータを所定の単位期間ごとに取得する構成を採用した場合には、目標消費電力量を当該単位期間ごとに設けることも可能になる。ここで図９は、本実施形態の省電力シートの第三表の一部分を示す図である。同図では、目標消費電力量を年間３３万ｋＷｈとし前記所定の単位期間を３か月間（１月から３月、４月から６月、７月から９月、１０月から１２月）とした場合の目標消費電力量の値が示されており、同図を見ることにより、１年のうち、特定の期間における電力消費行動と、当該期間において必要な省電力プランの内容とを関連付けて構築することが容易になる。なおここで、省電力シートをディスプレイに表示出力する構成をとる場合においては、タブを用いるなどの方法により、年間の目標消費電力量と前記単位期間ごとの目標消費電力量とを切り替え可能なように表示する構成を採用してもよい。
【００４１】
目標消費電力量の具体的な値としては、ユーザによる任意の値の入力を受け付けることにより決定される構成としてもよいが、他にも前回算定期間中の消費電力量に一定割合（例えば９５％、９３％、９０％）を乗ずることにより決定する構成をとることが考えられる。このような構成をとることにより、仮に電力事業者による電力供給体制がひっ迫し、電力需要者が一律の省電力行動を要請されるような事態になった場合であっても、目標とすべき消費電力量を容易に把握することが可能になるため、当該要請に対応した省電力プランを柔軟に構築することが可能になる。
【００４２】
ちなみに、図１記載の「第三表」０１３０においてマトリックス中には、将来の電力基本料金算定期間中において試算される電力料金試算値と前回電力基本料金算定期間中の電力料金実績値との差分が表示されている。しかしながら、図５などにおいて示されているように、第三表のマトリックス中においては、将来の電力基本料金算定期間中において試算される電力料金試算値を表示する構成をとってもよい。当該構成をとることにより、電力料金に充当可能な予算額の情報を基準として目標とすべき省電力プランを構築することが容易になる。なお、図６においてさらに示すように、前記試算値と、前記試算値と実績値との差分とを併記表示する構成をとってもよい。このような構成をとることにより、前記各値を表示するメリットの双方を提供することが可能になる。
【００４３】
ここで、本実施形態の省電力シート出力装置により出力される省電力シートを用いることで構築可能な省電力プランの一例を主に図１の「第三表」０１３０を用いて示す。ここでは将来の省電力行動の結果、年間６０万円程度の電力料金削減目標を達成させようとした場合を想定する。この場合、第三表を見ると、削減結果が−６０万円前後となることを示すマトリックスとして、複数の数値が記載されている。例えば、目標デマンド値候補値を１９７ｋＷとし、目標消費電力量を年間３３０，０００ｋＷｈとした場合には、マトリックス中０１３１で示される範囲に記載があるように、６２万８０００円の削減効果があると見込まれる。その一方、目標デマンド値候補値を２０６ｋＷとした場合には、目標消費電力量が年間２９０，０００ｋＷｈであっても、マトリックス中０１３２で示される範囲に記載があるように、見込まれる電気料金削減額は５７万２０００円である。つまり、第三表を見ると、デマンド値を大幅に下げることができれば、消費電力量全体の削減目標がやや緩やかであっても電力料金の削減目標は達成できることが理解しやすくなる。かたや、工場等施設の構造上デマンド値を大幅に下げることが困難な環境にある場合には、目標達成のためには、デマンド値を下げる努力を続けつつ日頃の消費電力量の削減をも併せて行うような省電力プランを構築しなければならない。このように、デマンド値と消費電力量という二つの電力量に関する指標について記載のある第三表記載の各情報を見ることにより、電力利用の形態や環境に応じた様々な省電力プランを策定することが容易になる。
【００４４】
ここで、第三表において示される目標デマンド値候補値は、第二表記載の目標デマンド値候補値と同じ値である。既に説明したように、第二表における目標デマンド値候補値は、第一表にて示された過去の実際の活動において検出されたデマンド値を基準に算出されたものであるが、すなわち、第一表と第二表、そして第三表とが一のシートに表示されることにより、各表の内容が相互にリンクし、個別具体的な省電力プランの構築に関して相乗的な効果をもたらすこととなる。
【００４５】
なお、ここまで説明してきた省電力シート出力装置により出力された省電力シートのデータは、プリンタ装置に対してデータ出力して印刷された状態で取り出すことも可能であるし、ディスプレイ装置に対してデータ出力して画面上に表示させることも可能である。また、記録媒体に記録したり、通信装置を利用してネットワーク上の他の装置にデータ送信したりすることも可能である。
【００４６】
さらに、デマンド値データに加えて電力基本料金算定期間中の１日間消費電力量や、電力基本料金算定期間中の営業時間外の事業場の消費電力量、電力基本料金算定期間中の事業場の情報（営業時間、天候、スタッフＩＤ、売上などの情報）などの各種情報を取得する構成も可能である。これらの具体的な情報をさらに用いることにより各検出日時がどのような日であったかを思い起こし、そこで起きたイベントの内容等を分析することが可能になることから、より具体的できめ細やかな省電力対策を取ることが可能になる。
<具体的な構成>
【００４７】
図７は、上記の省電力シート出力装置の機能的な各構成をハードウェアとして実現した際の構成の一例を表す概略図である。この図を利用して、それぞれのハードウェア構成部の働きについて説明する。
【００４８】
この図にあるように、省電力シート出力装置は、各種演算処理を実行するための「ＣＰＵ」０７０１と、「記憶装置（記憶媒体）」０７０２と、「メインメモリ」０７０３と、「入出力インターフェース」０７０４と、を備え、入出力インターフェースを介して、例えば「ディスプレイ」０７０５や「プリンタ」０７０６などの外部周辺装置と情報の送受信を行う。なお、記憶装置には以下で説明するような各種プログラムが格納されており、ＣＰＵはこれら各種プログラムをメインメモリのワーク領域内に読み出して展開、実行する。なお、これらの構成は、「システムバス」０７０７などのデータ通信経路によって相互に接続され、情報の送受信や処理を行う。
（デマンド値データ取得部の具体的な処理）
【００４９】
ＣＰＵは、「デマンド値データ取得プログラム」０７１０を実行し、記憶装置からデマンド値データを取得し、メインメモリの所定のアドレスに格納する。なお、デマンド値データを他の通信装置を介してネットワーク上の所定の装置から受信して、メインメモリや記憶装置に格納する処理をおこなうことも可能である。特に複数のデマンド値データを取得可能とする場合には、個々のデマンド値データごとのＩＤを指定して、対応するデマンド値データを取得するような処理を行うことが考えられる。
（消費電力量データ取得部の具体的な処理）
【００５０】
ＣＰＵは、「消費電力量データ取得プログラム」０７１１を実行し、記憶装置から消費電力量データを取得し、メインメモリの所定のアドレスに格納する。消費電力量データも前記デマンド値データと同様、他の通信装置を介してネットワーク上の所定の装置から受信して、メインメモリや記憶装置に格納する処理を行うことも可能である。特に、所定の期間ごとの消費電力量データを取得可能とする場合には、個々の消費電力量データごとのＩＤを指定し、対応する消費電力量データを取得するような処理をおこなうことも考えられる。
（第一表出力部の具体的な処理）
【００５１】
ＣＰＵは、「第一表出力プログラム」０７１２を実行し、以下に掲げる各処理を行う。まず、デマンド値データから電力基本料金算定期間中の最大のデマンド値及び同期間中の上記最大のデマンド値に近い値として検出された複数のデマンド値（例えば、上位５個のデマンド値データ）とその各検出日時を特定する処理を行う。次に、上記最大のデマンド値及び最大のデマンド値に近い値として検出された複数のデマンド値と基準回数以内に限定された各検出日時とを対にして、デマンド値の大きさの降順（又は昇順）に並べて表示する第一表をシートデータに出力する処理を行う。
（第二表出力部の具体的な処理）
【００５２】
ＣＰＵは、「第二表出力プログラム」０７１３を実行し、以下の各処理を行う。まず、第一表出力プログラムの実行により取得された最大のデマンド値よりも小さな値である目標デマンド値候補値のデータを特定する処理を行う。次に、目標デマンド値候補値を超過する電力基本料金算定期間中のデマンド値の検出回数を取得する処理を行い、メインメモリの所定のアドレスに格納する。次に、上記目標デマンド値候補値と、上記超過するデマンド値の検出回数とを対にして、目標デマンド値の大きさの降順（又は昇順）に並べて表示する第二表を上記シートデータに出力する処理を行う。
（第三表出力部の具体的な処理）
【００５３】
ＣＰＵは、「第三表出力プログラム」０７１４を実行し、以下の各処理を行う。まず、消費電力量取得プログラムの実行により取得された消費電力量以下の値である目標消費電力量のデータを演算する処理を行う。ここでいう演算処理とは、例えば「前回算定期間中の消費電力量比○○％」といったように所定のルールに従ってなされることが考えられ、この場合、前記消費電力量データを当該演算処理のために利用する構成をとることが考えられる。他にも、所定のルールとして、時間帯（夜間／昼間）別のルール、季節（春秋期／夏冬期）別のルール等電力量消費に影響を与えると考えられる因子に関連付けられたルールを保持し、当該ルールを演算処理に反映させる構成をとってもよい。次に、前記目標消費電力量と、第二表出力プログラムの実行により取得された目標デマンド値候補値とをそれぞれ異なる軸方向に並ぶように表示する処理を行う。前記各軸により形成されるマトリックス中に対応する目標デマンド値候補値及び消費電力量を採る場合の電力料金を試算する演算処理を行い、各マトリックス中に当該試算値又は／及び当該試算値とあらかじめ保持している前回電力基本料金算定期間中の電力料金のデータとの差分を表示する処理を行う。そして、これまでの各処理において表示された第三表を上記シートデータに出力する処理を行う。
<処理の流れ>
【００５４】
図８は、本実施形態の省電力シート出力方法の処理の流れの一例を示す図である。同図の処理の流れは以下のステップからなる。最初にデマンド値データ取得ステップ（Ｓ０８０１）では、電力基本料金算定期間中のデマンド値とその検出日時のデータであるデマンド値データを取得する処理を行う。消費電力量データ取得ステップ（Ｓ０８０２）では、前記電力基本料金算定期間中の消費電力量のデータである消費電力量データを取得する処理を行う。第一表出力ステップ（Ｓ０８０３）では、前記電力基本料金算定期間中において最も大きいデマンド値及び前記最も大きい値に近い値として検出された複数のデマンド値と、その各検出日時の全部又は一部とを対にして、デマンド値の大きさの昇順または降順に並べて表示する第一表をシートデータに出力する処理を行う。第二表出力ステップ（Ｓ０８０４）では、前記第一表に表示された最も大きいデマンド値よりも小さな値のデマンド値である目標デマンド値候補値と、前記目標デマンド値候補値を超過する電力基本料金期間算定期間中のデマンド値の検出回数とを対にして、目標デマンド値候補値の大きさの昇順又は降順に並べて表示する第二表を前記シートデータに出力する処理を行う。第三表出力ステップ（Ｓ０８０５）では、前記第二表に表示された目標デマンド値候補値を一方の軸とし、将来の電力基本料金算定期間中において目標とする消費電力量を他方の軸としたマトリックス中に将来の電力基本料金算定期間中において試算される電力料金試算値又は／及び当該試算値と前回電力基本料金算定期間中の電力料金実績値との差分を表示する第三表を前記シートデータに出力する処理を行う。
<効果>
【００５５】
本実施形態の発明によって、どのような日時の電力使用の結果により電力基本料金が増加したのかを把握することが可能になり、具体的な対策を立てやすくなる。また、電力基本料金を下げるために目標デマンド値を立てるに際して、過去の電力使用状況の情報に基づいて妥当な値を選択することが可能になる。
【符号の説明】
【００５６】
０１００…省電力シート、０１１０…第一表、０１２０…第二表、０１３０…第三表、０５１０…第三表、０６１０…第三表、 ０７１５…デマンド値データ、０７１６…消費電力量データ、０７１７…目標デマンド値候補値データ
【図１】
2014176277.tif 000003
【図２】
2014176277.tif 000004
【図３】
2014176277.tif 000005
【図４】
2014176277.tif 000006
【図５】
2014176277.tif 000007
【図６】
2014176277.tif 000008
【図７】
2014176277.tif 000009
【図８】
2014176277.tif 000010
【図９】
2014176277.tif 000011